【事件の表示】
　平成９年特許願第１７２９００号「パチンコ遊技機における入賞装置」拒絶査定不服審判事件〔平成１１年１月６日出願公開、特開平１１−４３５〕について、次のとおり審決する。
【結　論】
　本件審判の請求は、成り立たない。
【理　由】
１．手続きの経緯
　本願は、平成９年６月１２日の出願であって、平成１４年８月２３日付の拒絶理由通知が通知され、平成１４年９月２０日付で意見および手続補正がなされ、平成１５年４月３０日付の拒絶査定がなされるとともに、平成１５年６月２日に審判請求がなされ、平成１５年６月２５日付で手続補正がなされたものである。
　　　　　　　　　　　　　　　　　　　　　　　　　　　
２．平成１５年６月２５日付の手続補正についての補正却下の決定　　　　　　　　　　　　　　　　　　　　　　　　　　　　　　　　
［補正却下の決定の結論］
　　平成１５年６月２５日付の手続補正を却下する。
　　　　　　　　　　　　　　　　　　　　　　　　　　　
［理由］
（１）補正後の本願発明
　平成１５年６月２５日付の手続補正における請求項１は、平成１４年９月２０日付の手続補正により補正された請求項１に記載された発明を特定するための事項の限定に相当するものであり、また、平成１５年６月２５日付の手続補正は、平成１４年９月２０日付の手続補正により補正された請求項３の削除を行うものであるから、平成１５年６月２５日付の手続補正は平成１５年改正前特許法第１７条の２第４項第１号および第２号の規定に適合している。
　　　　　　　　　　　　　　　　　　　　　　　　　　　
　したがって、平成１５年６月２５日付の手続補正により補正された特許請求の範囲の請求項１〜３に係る発明は、その請求項１〜３に記載されたとおりのものであると認められ、その請求項１に係る発明は、その請求項１において特定される下記のとおりのものである。
　　　　　　　　　　　　　　　　　　　　　　　　　　　
　「
遊技盤面に設けられる入賞装置であって、
前記第１及び第２
作動
作動
前記入賞口に入賞した時
からの検出信号に基づき
第１又は第２
次いで
からの検出信号があった
第１又は第２
制御
　　　　　　　　　　　　　　　　　　　　　　　　　　　　
　そこで、本願補正発明が、特許出願の際独立して特許を受けることができるものであるか（平成１５年改正前特許法第１７条の２第５項において準用する同法第１２６条第４項に適合するか）について以下に検討する。
　　　　　　　　　　　　　　　　　　　　　　　　　　　　
（２）引用例について
　原査定の拒絶の理由に引用された特開平６−６３２２４号公報（以下、「引用例」という。）には、以下の技術事項が図面とともに記載されている。
　　　　　　　　　　　　　　　　　　　　　　　　　　　　
・記載事項１
　「【発明が解決しようとする課題】従来のパチンコ機は、可変表示装置の停止した表示結果に基づいて大当りか外れかが判明するだけでその大当り発生までの制御動作が単調かつパターン化されてしまっており、このため遊技者に与える興味や感動も少なくて飽きられつつあるという問題点があった。本発明は、従来技術の有するこのような問題点に鑑みてなされたもので、その目的とするところは、上述のような権利物パチンコ機の遊技内容を面白くすることができ、かつ遊技者の興味を引くようなパチンコ機の入賞装置を提供しようとするものである。（段落【０００３】）
　　　　　　　　　　　　　　　　　　　　　　　　　　　　
・記載事項２
　「【作用】打球がカバー枠に入ると第１のゲート片および第２のゲート片によってそのカバー枠の内部の球受部に一時的に保留される。そして、大当りの権利が発生すると両ゲート片のうちいずれか一方のゲート片を移動させて球受部の打球を大当り用通路へ流出させ、外れた場合は他方のゲート片を移動させて外れ用通路へ流出させる。」（段落【０００５】）
　　　　　　　　　　　　　　　　　　　　　　　　　　　
・記載事項３
　「【実施例】以下図面を参照して本発明の実施例を説明する。図１は本発明が適用されるパチンコ機の正面図である。図において、１はパチンコ機の前面枠、２は前面枠１の前面に開閉自在に装着されたガラス枠、３は前面枠１の後面に着脱自在に装着された遊技盤である。この遊技盤３の表面には外レール４と内レール５が設けられ、その外レール４と内レール５とで囲まれる遊技部のほぼ中央に本発明に係る入賞装置６を設けている。また、入賞装置６の上方には可変表示器７を設けると共に、下方には変動入賞装置８を設け、さらに入賞装置６の右斜め側方には特定入賞口９を設けている。１０は一般入賞口、１１は風車である。」（段落【０００６】）
　　　　　　　　　　　　　　　　　　　　　　　　　　　
・記載事項４
　「図２は本発明に係る入賞装置６の斜視図、図３は分解斜視図、図４は一部断面にして示す平面図、図５は同じく一部断面にして示す正面図である。入賞装置６は遊技盤３の表面に取付けられる取付基板１２を有する。取付基板１２の前面には横長のカバー枠１３が設けられる。カバー枠１３は、例えば内部が透視できるように無色または有色透明樹脂により後面が開口した中空状に形成され、その上面中央に打球を受け入れるための開口部１４が形成されている。」（段落【００１０】）
　　　　　　　　　　　　　　　　　　　　　　　　　　　
・記載事項５
　「一方、取付基板１２の左右両側には球通孔１５および１６が穿設され、その球通孔１５と連通状に大当り用通路１７が、球通孔１６と連通状に外れ用通路１８がそれぞれ裏面側に突出して形成される。また、取付基板１２の裏面にはは間隔保持突起１９，１９を介して取付枠２０が設けられており、その取付枠２０の上面に電気的駆動源としての第１のソレノイド２１および第２のソレノイド２２が固着されている。」（段落【００１１】）
　　　　　　　　　　　　　　　　　　　　　　　　　　　　
・記載事項６
　「前記第１のソレノイド２１のプランジャー２１ａには第１のゲート片２３が第２のソレノイド２２のプランジャー２２ａには第２のゲート片２４がそれぞれ一体をなして前後方向に往復し得るように連結されている。この第１のゲート片２３および第２のゲート片２４は、取付基板１２の透孔２５からカバー枠１３の開口部１４の両側直下方に臨んで開口部１４から落下する打球を一時的に保留する球受部２６を形成するもので、１個の打球が通り抜け可能なコ字形のゲート部２３１，２４１と球受部２６の打球をゲート部２３１，２４１に向けて押出すテーパー面を有する押出部２３２，２４２と球受部２６への打球の落下を阻止するための球止部２３３，２４３とを一体に備えて構成されている。」（段落【００１２】）
　　　　　　　　　　　　　　　　　　　　　　　　　　　　
・記載事項７
　「そして、第１のゲート片２３および第２のゲート片２４は、第１のソレノイド２１および第２のソレノイド２２が消磁している状態のとき、それぞれのプランジャ２１ａ，２２ａに引かれて図６実線で示すように第１のゲート片２３および第２のゲート片２４のゲート部２３１および２４１が球受部２６から後退させられており、第１のソレノイド２１および第２のソレノイド２２が励磁されるとこれのプランジャ２１ａ，２２ａが復帰ばね２１ｂ，２２ｂに抗して前方へ吸引され、第１のゲート片２３および第２のゲート片２４は図６鎖線で示すように前進して球受部２６の打球がゲート部２３１またはゲート部２４１を通り抜け可能なようになっている。」（段落【００１３】）
　　　　　　　　　　　　　　　　　　　　　　　
・記載事項８
　「前記カバー枠１３の内部にはガイド壁２７を突設して取付基板１２の球通孔１５と一致する球通路２８と球通孔１６と一致する球通路２９とを設けている。また、開口部１４部分には打球を検出する入賞検出器３０が設けられている。」（段落【００１４】）
　　　　　　　　　　　　　　　　　　　　　　　　　　　
・記載事項９
　「次に、本実施例におけるパチンコ機の入賞装置６の作用について説明する。打球が入賞装置６の開口部１４に入ると該打球は入賞球検出器３０で検出されながら球受部２６に落下し、第１のゲート片２３および第２のゲート片２４によって一時的に保留される（図４参照）。一方、入賞球が入賞球検出器３０で検出されると、その検出信号によって可変表示器７が始動し、一定時間が経過後停止する。」（段落【００１５】）
　　　　　　　　　　　　　　　　　　　　　　　　　　　
・記載事項１０
　「第１のソレノイド２１が励磁されるとこれのプランジャ２１ａに連結された第１のゲート片２３が図７鎖線のように前進し、これによって球受部２６で保留されている入賞球は押出部２３２のテーパー面で押されてゲート部２３１を通り抜け、球通路２８から大当り用通路１７に導かれて排出されることになる。」（段落【００１７】）
　　　　　　　　　　　　　　　　　　　　　　　　　　　　
・記載事項１１
　「一方、前記可変表示器７の停止後の表示があらかじめ設定された表示と一致していなければ「外れ」であり、この場合には入賞装置６の第２のソレノイド２２が励磁し、これのプランジャ２２ａに連結された第２のゲート片２４を図８鎖線のように前進し、これによって球受部２６で保留されている入賞球は押出部２４２のテーパー面で押されてゲート部２４１を通り抜け球通路２９から外れ用通路１８に導かれて排出されることになる。」（段落【００１９】）
　　　　　　　　　　　　　　　　　　　　　　　　　　　　
・記載事項１２
　「【発明の効果】以上のように、本発明に係るパチンコ機の入賞装置によれば、球受部に入った打球を一時的に保留し、その打球を「大当り」の権利発生など遊技内容に応じて大当り用通路または外れ用通路に振分けて排出処理するようにしたものであるから、遊技者の興味を引くことができると共に、大当り発生の感動を一層高めることができる。」（段落【００２０】）
　　　　　　　　　　　　　　　　　　　　　　　　　　　
　以上の記載事項１〜記載事項１２及び図１〜図１０の記載によれば、引用例には次の発明が記載されていると認められる。
　「遊技盤３の表面に設けられる入賞装置６であって、開口部１４と、開口部１４に打球が入賞したことを検出する入賞検出器３０と、開口部１４に入賞した入賞球を一時保留する球受部２６と、球受部２６に一時保留された入賞球を排出する大当り用通路１７および外れ用通路１８と、大当り用通路１７および外れ用通路１８を夫々個々に開閉する第１のゲート片２３および第２ゲート片２４と、第１のゲート片２３および第２ゲート片２４を夫々個々に駆動する第１のソレノイド２１および第２のソレノイド２２とを備え、遊技盤３の表面に発射された打球が開口部１４に入賞した時、入賞検出器３０からの検出信号に基づき、大当りまたは外れが決定され、その決定に応じて、第１のソレノイド２１および第２のソレノイド２２のいずれかの決定に対応する一方を駆動し、次いで再び、入賞検出器３０からの検出信号があった場合には、再び、大当りまたは外れが決定され、その決定に応じて、第１のソレノイド２１および第２のソレノイド２２のいずれかの決定に対応する一方を駆動することにより、大当り用通路１７および外れ用通路１８を開閉させる駆動制御手段を備えることを特徴とするパチンコ機における入賞装置６。」（以下、「引用例に記載された発明」という。）
　　　　　　　　　　　　　　　　　　　　　　　　　　　
（３）対比
　引用例に記載された発明と本願補正発明を対比すると、引用例に記載された発明の「遊技盤３の表面」は本願補正発明の「遊技盤面」に相当している。以下同様に、「入賞装置６」は「入賞装置」、「開口部１４」は「入賞口」、「打球」は「遊技球」、「入賞検出器３０」は「入賞球検出手段」、「入賞した入賞球」は「入賞した遊技球」、「球受部２６」は「球保留部」、「入賞球」は「遊技球」、「大当り用通路１７および外れ用通路１８」は「第１及び第２入賞球通路」、「第１のゲート片２３および第２ゲート片２４」は「第１及び第２開閉作動部材」、「第１のソレノイド２１および第２のソレノイド２２」は「第１及び第２駆動手段」、「発射された打球」は「発射された遊技球」、「パチンコ機」は「パチンコ遊技機」にそれぞれ相当している。
　　　　　　　　　　　　　　　　　　　　　　　　　　　
　そうすると、本願補正発明と引用例に記載された発明は、
　　　　　　　　　　　　　　　　　　　　　　　　　　　
　「遊技盤面に設けられる入賞装置であって、入賞口と、入賞口に遊技球が入賞したことを検出する入賞球検出手段と、入賞口に入賞した遊技球を一時保留する球保留部と、球保留部に一時保留された遊技球を排出する第１及び第２入賞球通路と、第１及び第２入賞球通路を夫々個々に開閉する第１及び第２開閉作動部材と、第１及び第２開閉作動部材を夫々個々に駆動する第１及び第２駆動手段とを備え、遊技盤面に発射された遊技球が入賞口に入賞した時、入賞球検出手段からの検出信号に基づき、第１または第２駆動手段のいずれかを駆動することにより、第１または第２入賞球通路のいずれかを開閉させる駆動制御手段を備えるパチンコ遊技機における入賞装置。」の点で一致し、以下の点で相違している。
　　　　　　　　　　　　　　　　　　　　　　　　　　
　相違点
　第１または第２入賞球通路のいずれかを開閉させる駆動制御手段は、本願補正発明においては、入賞口に遊技球が入賞する毎に発生する入賞球検出手段からの検出信号の順番に応じて、第１の駆動手段と第２の駆動手段を交互に開閉することにより、第１および第２入賞球通路を交互に開閉させるように制御されるのに対して、引用例に記載された発明においては、入賞口に遊技球が入賞する毎に発生する入賞球検出手段からの検出信号に応じて決定された大当り発生または外れであるかに応じて、その決定に対応する第１の駆動手段または第２の駆動手段のいずれかを開閉することにより、第１または第２入賞球通路を開閉する点。
　　　　　　　　　　　　　　　　　　　　　　　　　　
（４））判断
　上記相違点について、検討する。
　パチンコ機の入賞口へ入賞した遊技球を交互に振り分けることにより、大当り入賞用通路や通常入賞用通路、または大当り入賞口や通常入賞口を介して大当り入賞用通路や通常入賞用通路に導いて、入賞球の授賞の多様化、遊技の単調化を防ぎ、興趣を高めることは、パチンコ機の入賞口へ入賞した遊技球の制御技術分野において周知技術にすぎない（必要であれば、実願昭６１−５９０１９号（実開昭６２−１７００８０号）のマイクロフイルム、特開平８−１８２８０１号公報、特開平２−２１８３８３号公報等参照されたい）。
　そうすると、引用例に記載された発明の「入賞口に遊技球が入賞する毎に発生する入賞球検出手段からの検出信号に応じて決定された大当り発生または外れであるかに応じて、その決定に対応する第１の駆動手段または第２の駆動手段のいずれかを開閉することにより、第１または第２入賞球通路を開閉するもの」に代えて、上記周知技術である「入賞口へ入賞した遊技球を交互に振り分けることにより、その入賞した遊技球を異なる入賞球通路に導くもの」を採用して、第１または第２入賞球通路のいずれかを開閉させる駆動制御手段は、入賞口に遊技球が入賞する毎に発生する入賞球検出手段からの検出信号の順番に応じて、第１の駆動手段と第２の駆動手段を交互に開閉することにより、第１および第２入賞球通路を交互に開閉させるように制御して、入賞球の授賞の多様化、遊技の単調化を防ぎ、興趣を高めるようにすること、すなわち上記相違点に係る構成とすることは、当業者が引用例および上記周知技術に基づいて容易になし得る程度のことにすぎない。　　　　　　　　　　　　　　　　　　　　　　　　　　　　　　　　　　　　
（５）作用効果
　本願補正発明によって奏する効果も、引用例に記載された発明および上記周知技術に基づいて、普通に予測できる範囲内のものであって格別のものがあるとは認められない。
　　　　　　　　　　　　　　　　　　　　　　　　　　
（６）むすび
　よって、本願補正発明は、引用例に記載された発明および上記周知技術に基づいて、当業者が容易に発明することができたものであり、特許法第２９条第２項により特許を受けることができない。
　　　　　　　　　　　　　　　　　　　　　　　　　　　　　
（７）補正却下の判断
　以上のとおり、本願補正発明は、平成１５年改正前特許法第１７条の２第５項で準用する同法第１２６条第４項の規定に違反するものであるので、平成１５年６月２５日付の手続補正は、特許法第１５９条第１項で準用する特許法第５３条第１項の規定により却下されるべきものである。
　　　　　　　　　　　　　　　　　　　　　　　　　　　
３．本願発明について
　平成１５年６月２５日付の手続補正は上記のとおり却下されているので、本願発明は、平成１４年９月２０日付の手続補正書における特許請求の範囲の請求項１において特定される以下のものである。
　「
入賞口と、前記入賞口に遊技球が入賞したことを検出する入賞球検出手段と、前記入賞口に入賞した遊技球を一時保留する球保留部と、前記球保留部に一時保留された遊技球を排出する第１及び第２入賞球通路と、前記入賞球通路を夫々個々に開閉する第１及び第２開閉動作部材と、前記開閉部材を夫々個々に駆動する第１及び第２駆動手段と、を備え、遊技盤に設けられるパチンコ遊技機の入賞装置において、前記遊技盤に発射された遊技球が前記入賞球検知手段により検知された場合には前記駆動手段の一方を駆動し、再び前記入賞球検知手段により遊技球が検知された場合には前記駆動手段の他方を駆動することにより前記駆動手段を交互に駆動し、前記第１及び第２入賞球通路を交互に開閉させる駆動手段を備え、遊技球を前記第１入賞球通路または第２入賞球通路に導くように構成すると共に、何れの入賞球通路を通過するかによって遊技状況を変化させること
　　　　　　　　　　　　　　　　　　　　　　　　　　　
（１）引用例について
　引用例の記載及びそれら記載事項は上記２．（２）引用例についてに記載したとおりである。
　　　　　　　　　　　　　　　　　　　　　　　　　　
（２）対比・判断
　本願発明は、前記２．（４）判断で検討した本願補正発明の「遊技盤面に設けられる入賞装置であって」「前記入賞球通路」「第１および第２開閉作動部材」「入賞口に入賞した時前記検知手段からの検出信号に基づき」「次いで再び」「入賞球検知手段からの検出信号があった」「駆動制御手段」を、「遊技盤に設けられるパチンコ遊技機の入賞装置において」「前記入賞球通路」「第１および第２開閉部材」「前記入賞球検出手段により検出された場合には」「再び」「入賞球検出手段により遊技球が検出された場合には」「駆動手段」と減縮もしくは表現を変えるとともに、「遊技球を前記第１入賞球通路または第２入賞球通路に導くように構成すると共に、何れの入賞球通路を通過するかによって遊技状況を変化させる」なる構成を含むものである。
　そして、本願発明の「遊技球を前記第１入賞球通路または第２入賞球通路に導くように構成すると共に、何れの入賞球通路を通過するかによって遊技状況を変化させる」なる構成は、上記２．（４）判断において示したとおり、入賞した遊技球を交互に異なる入賞球通路や入賞口に振り分けることにより、入賞球の授賞の多様化、遊技の単調化を防ぎ、興趣を高めるようにすることは周知技術にすぎない。
　さらに、本願補正発明は、上記２．（４）判断に記載したとおり、引用例に記載された発明および周知技術に基づいて当業者が容易に発明することができたものであるから、本願発明は、本願補正発明の構成要件をすべて含むとともに単に周知技術を構成要件として付加したものである。
　そうすると、本願発明は、本願補正発明と同じ理由により引用例に記載された発明および周知技術に基づいて、当業者が容易に発明をすることができたものであるので、特許法第２９条第２項の規定により特許を受けることができないものである。
　　　　　　　　　　　　　　　　　　　　　　　　
（３）むすび
　以上のとおり、本願発明は、引用例に記載された発明および周知技術に基づいて、当業者が容易に発明をすることができたものであるから、特許法第２９条第２項の規定により特許を受けることができない。
　したがって、他の請求項について検討するまでもなく本願は拒絶されるべきものである。
　よって、結論のとおり審決する。